(57)【特許請求の範囲】
【請求項１】
測定した物理量の演算に用いる係数を指数形式および小数形式の少なくとも一方の入力形式で入力可能に構成されると共に、当該入力された係数を前記入力形式から演算形式に変換する変換処理を実行して当該演算形式の係数を用いて前記物理量の測定値を演算する演算部を備えた測定装置であって、
前記入力形式の係数を構成する各桁の数値を当該各桁毎に個別に入力させるための数値入力枠を予め決められた桁数分だけ表示させる表示制御部を備え、
前記演算部は、前記係数の入力開始を指示する入力開始操作が行われたときから当該係数の入力終了を指示する入力終了操作が行われたときまでの入力許容期間中に前記各数値入力枠内にそれぞれ最後に入力された前記各数値に基づいて前記変換処理を実行すると共に、前記入力許容期間中における前記各数値入力枠内への前記数値の入力の有無を示す入力情報を生成する生成処理を実行し、
前記表示制御部は、前記入力許容期間において、前記数値入力枠内に入力された前記数値を当該数値入力枠内に表示させる第１表示処理を実行し、前記入力終了操作が行われたときに、前記入力許容期間中に前記数値の入力が可能な前記各数値入力枠のうちの前記数値が入力された前記数値入力枠内だけに当該数値を表示させかつ当該数値が入力された数値入力枠を除く他の全ての前記数値入力枠内を非表示状態とする表示態様で前記入力形式の係数を表示させる第２表示処理を前記演算形式の係数および前記入力情報に基づいて実行する測定装置。
【請求項２】
前記表示制御部は、前記数値が既に入力されている前記係数の入力開始を指示する前記入力開始操作が行われたときに、前記第２表示処理における前記表示態様と同じ表示態様で前記入力形式の係数を表示させる第３表示処理を実行する請求項１記載の測定装置。
【請求項３】
前記演算部は、前記入力開始操作が行われたときに前記入力形式の係数における１桁目に対応する前記数値入力枠内に前記数値としての０の数値が入力されたものとして前記生成処理を実行し、
前記表示制御部は、前記入力開始操作が行われたときに前記１桁目に対応する前記数値入力枠内に前記数値としての０の数値が入力されたものとして前記第１表示処理を実行する請求項１または２記載の測定装置。
【請求項４】
前記係数を指数形式および小数形式の両入力形式のいずれによっても入力可能に構成されると共に、当該入力形式を切替え可能に構成されている請求項１から３のいずれかに記載の測定装置。
【発明の詳細な説明】
【技術分野】
【０００１】
本発明は、入力された係数を用いて物理量の測定値を演算する測定装置に関するものである。
【背景技術】
【０００２】
この種の計測機器として、特開２００５−９１０３３号公報において出願人が開示した波形記録計が知られている。この波形記録計は、電流や温度などの物理量を検出してその物理量の値に応じた値の電圧を出力するセンサ、センサからの電圧をディジタルデータ値に変換するＡ／Ｄ変換部、ディジタルデータ値を保存するメモリ、表示部、および各構成部を統括制御する中央処理ユニットを備えて、測定した物理量の値を表示可能に構成されている。ここで、センサによって検出される物理量の値とセンサから出力される電圧の値との間には、センサに固有の係数（変換比）を含む関係式が成り立ち、表示される物理量の値は、この関係式とセンサから出力された電圧の電圧値（ディジタルデータ値）とを用いて行われる演算処理によって演算される。このため、この種の波形記録計によって測定を行う際には、センサ毎に予め決められている係数を入力する必要がある。この場合、この波形記録計では、表示部に表示される入力用の画面内にマウスやキーボードを用いて係数を指数形式または小数形式で入力し、この係数を含む関係式を用いて中央処理ユニットが物理量の値を演算することにより、測定した物理量の値が表示部に表示される。
【先行技術文献】
【特許文献】
【０００３】
【特許文献１】特開２００５−９１０３３号公報（第６−７頁、第１−２図）
【発明の概要】
【発明が解決しようとする課題】
【０００４】
ところが、上記の波形記録計には、改善すべき以下の課題がある。すなわち、この波形記録計では、測定にあたって測定値の演算に用いる係数を小数形式または指数形式で入力することが求められる。この場合、この波形記録計を含む従来の測定装置では、一般的に、係数を入力する際の小数部分の桁数が予め決められている。例えば、小数部分の桁数が４桁（小数第４位）と規定されているときには、使用者が「１」と入力したり「１．０」と入力したりしても、その数値を決定する決定ボタンを操作したときには、予め決められた小数第４位までの数値、すなわち「１．００００」との数値が表示部にされ、入力した数値の桁数と表示される数値の桁数とが異なることとなる。このため、この波形記録計には、このような表示がされることに起因して、数値を誤入力したとしても、使用者がそのことを容易に認識することができなかったり、それとは逆に、数値を正しく入力したにも拘わらず誤入力したと使用者に誤って認識させるおそれがあり、利便性の向上の観点からこの点の改善が望まれている。
【０００５】
本発明は、かかる課題に鑑みてなされたものであり、物理量の測定値を演算する際に用いる係数を入力する際の利便性を向上させ得る計測機器を提供することを主目的とする。
【０００６】
上記目的を達成すべく請求項１記載の測定装置は、測定した物理量の演算に用いる係数を指数形式および小数形式の少なくとも一方の入力形式で入力可能に構成されると共に、当該入力された係数を前記入力形式から演算形式に変換する変換処理を実行して当該演算形式の係数を用いて前記物理量の測定値を演算する演算部を備えた測定装置であって、前記入力形式の係数を構成する各桁の数値を当該各桁毎に個別に入力させるための数値入力枠を予め決められた桁数分だけ表示させる表示制御部を備え、前記演算部は、前記係数の入力開始を指示する入力開始操作が行われたときから当該係数の入力終了を指示する入力終了操作が行われたときまでの入力許容期間中に前記各数値入力枠内にそれぞれ最後に入力された前記各数値に基づいて前記変換処理を実行すると共に、前記入力許容期間中における前記各数値入力枠内への前記数値の入力の有無を示す入力情報を生成する生成処理を実行し、前記表示制御部は、前記入力許容期間において、前記数値入力枠内に入力された前記数値を当該数値入力枠内に表示させる第１表示処理を実行し、前記入力終了操作が行われたときに、前記入力許容期間中に前記数値の入力が可能な前記各数値入力枠のうちの前記数値が入力された前記数値入力枠内だけに当該数値を表示させかつ当該数値が入力された数値入力枠を除く他の全ての前記数値入力枠内を非表示状態とする表示態様で前記入力形式の係数を表示させる第２表示処理を前記演算形式の係数および前記入力情報に基づいて実行する。
【０００７】
また、請求項２記載の測定装置は、請求項１記載の測定装置において、前記表示制御部は、前記数値が既に入力されている前記係数の入力開始を指示する前記入力開始操作が行われたときに、前記第２表示処理における前記表示態様と同じ表示態様で前記入力形式の係数を表示させる第３表示処理を実行する。
【０００８】
また、請求項３記載の測定装置は、請求項１または２記載の測定装置において、前記演算部は、前記入力開始操作が行われたときに前記入力形式の係数における１桁目に対応する前記数値入力枠内に前記数値としての０の数値が入力されたものとして前記生成処理を実行し、前記表示制御部は、前記入力開始操作が行われたときに前記１桁目に対応する前記数値入力枠内に前記数値としての０の数値が入力されたものとして前記第１表示処理を実行する。
【０００９】
また、請求項４記載の測定装置は、請求項１から３のいずれかに記載の測定装置において、前記係数を指数形式および小数形式の両入力形式のいずれによっても入力可能に構成されると共に、当該入力形式を切替え可能に構成されている。
【発明の効果】
【００１０】
請求項１記載の測定装置では、入力終了操作が行われたときに実行する第２表示処理において、入力許容期間中に数値が入力された数値入力枠内だけに数値を表示させ、かつ数値が入力された数値入力枠を除く他の全ての数値入力枠内を非表示状態とする表示態様で入力形式の係数を表示させる。このため、この測定装置によれば、入力した係数の桁数と入力終了操作を行ったときに表示される係数の桁数とが一致するため、入力した係数の桁数と入力終了操作を行ったときに表示される係数の桁数とが異なることがある従来の構成と比較して、係数を誤入力したとしても使用者がそのことを容易に認識することができなかったり、係数を正しく入力したにも拘わらず誤入力したと使用者に誤って認識させたりする不都合を十分に低減することができる結果、その分、係数を入力する際の利便性を十分に向上させることができる。
【００１１】
また、請求項２記載の測定装置では、数値が既に入力されている係数の入力開始を指示する入力開始操作が行われたときに、第２表示処理における表示態様と同じ表示態様で入力形式の係数を表示させる第３表示処理を実行する。このため、この測定装置によれば、入力した係数の桁数と第３表示処理において表示される係数の桁数とが一致する結果、入力した係数の桁数と表示される係数の桁数とが異なることがある従来の構成と比較して、例えば、数値を既に入力した係数における一部の桁の数値だけを修正する際に、修正対象の桁を容易に認識することができる。このため、この測定装置によれば、数値を既に入力している係数を修正する際の利便性を十分に向上させることができる。
【００１２】
また、請求項３記載の測定装置では、入力開始操作が行われたときに入力形式の係数における１桁目に対応する数値入力枠内に０の数値が入力されたものとして生成処理および第１表示処理を実行する。このため、１桁目を入力すべき数値入力枠の位置を容易に把握することができると共に、例えば、小数のみからなる係数を入力する際に、１桁目の数値の入力を省略することができるため、係数を入力する際の利便性を一層向上させることができる。
【００１３】
また、請求項４記載の測定装置は、係数を指数形式および小数形式の両入力形式のいずれによっても入力可能に構成されると共に、両入力形式を切替え可能に構成されている。このため、例えば、書類に記載されている係数を読み取りながら測定装置にその係数を入力する際に、書類に記載されている係数が小数形式および指数形式のいずれの形式であっても、その記載の通りの入力形式で係数を入力することができるため、誤入力の発生を確実に低減させることができる。
【図面の簡単な説明】
【００１４】
【図１】測定装置１の構成を示すブロック図である。
【図２】測定装置１の正面図である。
【図３】入力画面Ｇの表示画面図である。
【図４】測定装置１の動作を説明する第１の説明図である。
【図５】測定装置１の動作を説明する第２の説明図である。
【図６】測定装置１の動作を説明する第３の説明図である。
【図７】測定装置１の動作を説明する第４の説明図である。
【図８】測定装置１の動作を説明する第５の説明図である。
【発明を実施するための形態】
【００１５】
以下、測定装置の実施の形態について、添付図面を参照して説明する。
【００１６】
最初に、測定装置１の構成について、図面を参照して説明する。図１に示す測定装置１は、同図に示すように、入力部１１、表示部１２、操作部１３、記憶部１４および制御部１５を備え、物理量を測定可能に構成されている。
【００１７】
入力部１１は、図１に示すように、物理量の一例としての圧力を検出するセンサの一例としての圧力センサ２０を接続可能に構成され、圧力センサ２０から出力される電圧を入力する。ここで、圧力センサ２０は、検出した圧力の圧力値Ｐに応じた（一例として、圧力値Ｐに比例する）電圧値Ｖの電圧を出力する。具体的には、圧力センサ２０よって検出される圧力の圧力値Ｐと、圧力センサ２０から出力される電圧の電圧値Ｖと間には、一例として、次の関係式が成り立つ。
Ｐ＝Ｃ１×Ｖ＋Ｃ２・・・・式（１）
この場合、式（１）内の係数Ｃ１，Ｃ２（以下、区別しないときには「係数Ｃ」ともいう）は、圧力センサ２０に固有の係数であって、圧力センサ２０毎に予め決まっており、この測定装置１では、圧力センサ２０から出力された電圧の電圧値Ｖと式（１）とによって測定対象の圧力値Ｐが演算される。また、この測定装置１では、後述する入力操作において、指数形式または小数形式のいずれかの入力形式を選択して（切り替えて）係数Ｃ１，Ｃ２を入力することが可能となっている。なお、指数形式とは、１桁の整数部分および１桁以上の小数部分の値と１０を底とする指数とで構成される形式（例えば、１．２３４５×１０３との記載形式）を意味し、小数形式とは、指数を用いない形式（例えば、１２３４．５との記載形式）を意味する。
【００１８】
表示部１２は、一例として液晶パネルで構成されて、制御部１５の制御に従い、測定した物理量の値（この例では、圧力値Ｐ）や、上記した係数Ｃを入力するための入力画面Ｇ（図３，７参照）を表示する。操作部１３は、図２に示すように、測定装置１の正面パネル１ａに配設されている電源スイッチ３１、係数Ｃの入力の開始を指示する入力開始キー３２、カーソルキー３３、実行キー（エンターキー）３４、数字・記号キー３５および消去キー３６などの各種のスイッチやキーを備えている。また、操作部１３は、これらのスイッチやキーに対する操作、および測定装置１に接続される図外のポインティングデバイスやキーボードに対する操作に応じて操作信号を出力する処理部を備えて構成されている。
【００１９】
記憶部１４は、制御部１５の制御に従い、入力部１１が入力した電圧の電圧値Ｖ、制御部１５によって演算形式に変換された係数Ｃ１，Ｃ２、および制御部１５によって生成された入力情報Ｄを記憶する。
【００２０】
制御部１５は、入力部１１を構成する各部を制御する。また、制御部１５は、表示制御部として機能し、表示部１２を制御する。具体的には、制御部１５は、係数Ｃの入力開始を指示する入力開始操作が行われたときに、表示部１２を制御して、係数Ｃを入力するための入力画面Ｇ（図３，７参照）を表示させる。
【００２１】
この場合、制御部１５は、入力形式として小数形式が選択されているときには、図３に示すように、入力形式の係数Ｃを構成する各桁の数値を各桁毎に個別に入力させるための数値入力枠Ｆｎを予め決められた桁数分（一例として、同図に示すＦｎ１からＦｎ１１までの１１個）だけ入力画面Ｇ内に表示させると共に、正負を示す記号を入力させるための記号入力枠Ｆａ、小数点を示す小数点画像Ｇ１、および後述するＳＩ接頭辞を入力させるための接頭辞入力枠Ｆｂを入力画面Ｇ内に表示させる。また、制御部１５は、小数形式が選択されているときには、同図に示すように、各入力枠Ｆａ，Ｆｎ，Ｆｂ内に入力した記号または数値（各入力枠Ｆｎ，Ｆａ，Ｆｂに何も入力していないときにはその旨）を決定して係数Ｃの入力終了を指示する入力終了操作を行うための決定ボタンＢ１、決定ボタンＢ１の操作によって決定した記号または数値を取り消して再入力するための取消ボタンＢ２、入力形式を小数形式から指数形式に変更する（切り替える）ための切替ボタンＢ３、および入力対象の係数Ｃを選択するための選択画像Ｇ３を入力画面Ｇ内に表示させる。
【００２２】
また、制御部１５は、入力形式として指数形式が選択されているときには、図７に示すように、数値入力枠Ｆｎを予め決められた桁数分（一例として、同図に示すＦｎ１からＦｎ６までの６個）だけ入力画面Ｇ内に表示させると共に、記号入力枠Ｆａ、小数点画像Ｇ１、小数部分が存在する旨を示す指数記号画像Ｇ２、指数の正負を示す記号を入力させるための指数記号入力枠Ｆｃ、指数の数値を入力させるための２桁分の指数入力枠Ｆｄ１，Ｆｄ２、決定ボタンＢ１、取消ボタンＢ２、切替ボタンＢ３および選択画像Ｇ３を入力画面Ｇ内に表示させる。なお、以下の説明において、数値入力枠Ｆｎ、記号入力枠Ｆａ、接頭辞入力枠Ｆｂ、指数記号入力枠Ｆｃおよび指数入力枠Ｆｄ１，Ｆｄ２を区別しないときには、単に「入力枠Ｆ」ともいう。
【００２３】
また、制御部１５は、入力開始操作が行われたときから係数Ｃの入力終了を指示する入力終了操作が行われたときまでの入力許容期間において、数値入力枠Ｆｎ内に入力された数値をその数値入力枠Ｆｎ内に表示させる第１表示処理を実行する。この場合、制御部１５は、入力開始操作が行われたときに、１桁目に対応する数値入力枠Ｆｎ（この例では、図３に示す数値入力枠Ｆｎ６、および図７に示す数値入力枠Ｆｎ１）内に「０」の数値が入力されたものとして第１表示処理を実行する。つまり、制御部１５は、入力開始操作が行われたときに、１桁目に対応する数値入力枠Ｆｎ内に入力操作によって数値が入力されていない状態においても、その数値入力枠Ｆｎ内に「０」の数値を表示させる。
【００２４】
また、制御部１５は、入力終了操作が行われたときに、入力許容期間中に数値が入力された数値入力枠Ｆｎ内にその数値を表示させかつ数値が入力された数値入力枠Ｆｎを除く他の数値入力枠Ｆｎ内を非表示状態とする表示態様で係数Ｃを表示させる第２表示処理を、演算形式の係数Ｃおよび入力情報Ｄに基づいて実行する。
【００２５】
さらに、制御部１５は、数値の入力が完了している係数Ｃ（つまり、既に記憶部１４に記憶されている係数Ｃ）の入力開始を指示する入力開始操作が行われたときには、第２表示処理における表示態様と同じ表示態様でその係数Ｃを表示させる第３表示処理を実行する。
【００２６】
また、制御部１５は、演算部として機能し、入力された係数Ｃを入力形式（上記した指数形式または小数形式）から制御部１５による演算が可能な演算形式（一例として、浮動小数点形式）に変換する変換処理を実行して、変換後の係数Ｃを記憶部１４に記憶させる。また、制御部１５は、圧力センサ２０から出力された電圧の電圧値Ｖと係数Ｃを含んだ上記した式（１）とによって測定対象の圧力値Ｐを演算する。この場合、制御部１５は、入力許容期間中に各数値入力枠Ｆｎ内にそれぞれ最後に入力された各数値に基づいて変換処理を実行する。また、制御部１５は、入力開始操作が行われたときに入力されたものとした「０」の数値が、その入力許容期間中に訂正されなかったときにはその数値入力枠Ｆｎに「０」の数値が入力されたものとして変換処理を実行する。
【００２７】
さらに、制御部１５は、入力許容期間中における各数値入力枠Ｆｎ内への数値の入力の有無を示す入力情報Ｄを生成する生成処理を実行して、生成した入力情報Ｄを記憶部１４に記憶させる。この場合、制御部１５は、入力開始操作が行われたときに係数Ｃにおける１桁目に対応する数値入力枠Ｆｎ（この例では、図３に示す数値入力枠Ｆｎ６、および図７に示す数値入力枠Ｆｎ１）に「０」の数値が入力されたものとして生成処理を実行する。また、制御部１５は、入力許容期間中に数値入力枠Ｆｎ内に一端入力された数値がその入力許容期間の終了時において（入力終了操作が行われるまでに）消去されているときには、その数値入力枠Ｆｎ内に数値が入力されなかったものとして生成処理を実行する。
【００２８】
次に、測定装置１に係数Ｃを入力する方法、およびその際の測定装置１の動作について、図面を参照して説明する。なお、初期状態において、係数Ｃを入力する入力形式として小数形式が選択され、記憶部１４には演算形式の係数Ｃが記憶されていないものとする。
【００２９】
まず、操作部１３の電源スイッチ３１を投入する。この際に、制御部１５が、各部に対する制御を開始する。次いで、操作部１３の入力開始キー３２を操作する（入力開始操作を行う）。この際に、制御部１５は、表示部１２を制御して、図３に示すように、係数Ｃを小数形式で入力させるための入力画面Ｇを表示させる。この場合、制御部１５は、１１個の数値入力枠Ｆｎ（同図に示す数値入力枠Ｆｎ１〜Ｆｎ１１）、記号入力枠Ｆａ、小数点画像Ｇ１、接頭辞入力枠Ｆｂ、決定ボタンＢ１、取消ボタンＢ２、切替ボタンＢ３および選択画像Ｇ３を入力画面Ｇ内に表示させる。また、制御部１５は、数値入力枠Ｆｎ６（係数Ｃの１桁目に対応する数値入力枠Ｆｎ）内に「０」の数値を表示させる。
【００３０】
続いて、例えば、係数Ｃ１を小数形式で入力するときには、操作部１３のカーソルキー３３を操作して、図３に示すように、選択画像Ｇ３における係数Ｃ１に対応するチェックボックスにカーソルを移動させて実行キー３４を操作することにより、チェックボックス内にチェックマークを入力する。これに応じて、操作部１３が、係数Ｃ１が選択された旨の信号を制御部１５に出力する。
【００３１】
次いで、係数Ｃ１として、例えば「＋１２３４．５」の数値を入力する際には、係数Ｃ１を構成する各桁に対応する各数値入力枠Ｆｎに対して、次のような入力操作によって個別に数値を入力する。まず、カーソルキー３３を操作して記号入力枠Ｆａにカーソルを移動させ、続いて「＋」の数字・記号キー３５を操作する。これにより、記号入力枠Ｆａ内に「＋」の記号が入力される。次いで、数値入力枠Ｆｎ３にカーソルを移動させ、続いて「１」の数字・記号キー３５を操作する。これにより、数値入力枠Ｆｎ３内に「１」の数値が入力される。次いで、数値入力枠Ｆｎ４にカーソルを移動させ、続いて「２」の数字・記号キー３５を操作して、数値入力枠Ｆｎ４内に「２」の数値を入力する。以下、同様にして、数値入力枠Ｆｎ５，Ｆｎ６，Ｆｎ７内に「３」、「４」および「５」の数値を個別に入力する（図４参照）。この場合、各数値入力枠Ｆｎ内に入力した数値を訂正するときには、その数値入力枠Ｆｎにカーソルを移動させて他の数値を再入力（上書き入力）する。また、入力した数値を消去するときには、入力した数値入力枠Ｆｎにカーソルを移動させて消去キー３６を操作する。
【００３２】
一方、制御部１５は、入力開始キー３２が操作されたときに、第１表示処理を開始する。この第１表示処理では、制御部１５は、入力枠Ｆ内に記号または数値が入力される都度、その記号または数値をその入力枠Ｆ内に表示させる。また、制御部１５は、入力開始操作が行われたときから入力終了操作が行われたときまでの入力許容期間においてこの第１表示処理を実行する。
【００３３】
次いで、各入力枠Ｆ内への記号または数値の入力操作が終了したときには、決定ボタンＢ１にカーソルを移動させて実行キー３４を操作する（入力終了操作を行う）。これに応じて、操作部１３が、係数Ｃ１の入力終了を指示する信号を制御部１５に出力する。この際に、制御部１５は、変換処理を実行する。この変換処理では、制御部１５は、入力許容期間中に各入力枠Ｆ内にそれぞれ最後に入力された記号または数値に基づいて、係数Ｃ１を特定し、その係数Ｃ１を演算が可能な演算形式（一例として、浮動小数点形式）の係数Ｃ１に変換する。続いて、制御部１５は、変換後の係数Ｃ１を記憶部１４に記憶させる。
【００３４】
次いで、制御部１５は、生成処理を実行する。この生成処理では、制御部１５は、入力許容期間中における各入力枠Ｆ内への記号または数値の入力の有無を示す入力情報Ｄを生成する。この例では、制御部１５は、記号入力枠Ｆａ内および数値入力枠Ｆｎ３〜Ｆｎ７内には記号または数値数値が入力され、数値入力枠Ｆｎ１，Ｆｎ２，Ｆｎ８〜Ｆｎ１１内、および接頭辞入力枠Ｆｂ内には記号または数値が入力されなかった旨を示す入力情報Ｄを生成する。続いて、制御部１５は、生成した入力情報Ｄを記憶部１４に記憶させる。
【００３５】
また、制御部１５は、入力終了操作が行われたときに、第２表示処理を実行する。この第２表示処理では、制御部１５は、入力許容期間中に記号または数値が入力された各入力枠Ｆ内にその記号または数値を表示させかつ記号または数値が入力された入力枠Ｆを除く他の入力枠Ｆ内を非表示状態とする表示態様で係数Ｃ１を表示させる。具体的には、制御部１５は、記憶部１４から入力情報Ｄを読み出して、係数Ｃ１を入力した際の各入力枠Ｆ内への記号または数値の入力の有無を特定する。この例では、制御部１５は、記号入力枠Ｆａ内に記号が入力されると共に数値入力枠Ｆｎ３〜Ｆｎ７内に数値が入力され、数値入力枠Ｆｎ１，Ｆｎ２，Ｆｎ８〜Ｆｎ１１内および接頭辞入力枠Ｆｂ内には記号または数値が入力されなかった旨を特定する。続いて、制御部１５は、記憶部１４から演算用に変換した係数Ｃ１を読み出して、その係数Ｃ１に基づき、係数Ｃ１の記号（正負）、および数値が入力された数値入力枠Ｆｎ３〜Ｆｎ７に対応する各桁の数値（この例では、「１」、「２」、「３」、「４」および「５」の各数値）を特定する。次いで、制御部１５は、図４に示すように、記号入力枠Ｆａ内に「＋」の記号を表示させると共に、数値入力枠Ｆｎ３〜Ｆｎ７内に「１」、「２」、「３」、「４」および「５」の各数値を表示させ、入力許容期間中に記号または数値が入力されなかった数値入力枠Ｆｎ１，Ｆｎ２，Ｆｎ８〜Ｆｎ１１内、および接頭辞入力枠Ｆｂ内には記号または数値を表示させることなく非表示状態とする。
【００３６】
この場合、この測定装置１では、第２表示処理において、入力許容期間中に記号または数値が入力された入力枠Ｆ内だけに入力された記号または数値を表示し、入力許容期間中に記号または数値が入力されなかった入力枠Ｆを非表示状態に維持している。このため、この測定装置１では、入力した係数Ｃの桁数と入力終了操作を行ったときに表示される係数Ｃの桁数とが一致するため、入力した係数Ｃの桁数と入力終了操作を行ったときに表示される係数Ｃの桁数とが異なることがある従来の構成と比較して、係数Ｃを誤入力したとしても使用者がそのことを容易に認識することができなかったり、係数Ｃを正しく入力したにも拘わらず誤入力したとの誤った認識を使用者がする不都合が十分に低減され、その分、係数Ｃを入力する際の利便性を十分に向上させることが可能となっている。
【００３７】
次に、係数Ｃ２を小数形式で入力するときには、図５に示すように、カーソルキー３３および実行キー３４を操作して選択画像Ｇ３における係数Ｃ２に対応するチェックボックス内にチェックマークを入力する。これに応じて、操作部１３が、係数Ｃ２が選択された旨の信号を制御部１５に出力する。
【００３８】
次いで、係数Ｃ２として、例えば「＋１．００」の数値を入力する際には、上記した入力操作によって記号入力枠Ｆａ内に「＋」の記号を入力し、数値入力枠Ｆｎ６〜Ｆｎ８内に「１」、「０」および「０」の数値をそれぞれ個別に入力する（図５参照）。この際に、制御部１５は、上記した第１表示処理を実行することにより、各入力枠Ｆ内に記号または数値が入力される都度、その記号または数値をその入力枠Ｆに表示させる。続いて、入力終了操作が行われたときには、制御部１５は、上記した変換処理行う生成処理を実行する。
【００３９】
次いで、各入力枠Ｆ内への記号または数値の入力操作が終了したときには、入力終了操作を行う。この際に、制御部１５は、上記した変換処理を実行して入力形式の係数Ｃ２を演算形式に変換し、変換した係数Ｃ２を記憶部１４に記憶させる。また、制御部１５は、上記した生成処理を実行して係数Ｃ２についての入力情報Ｄを生成し、生成した入力情報Ｄを記憶部１４に記憶させる。さらに、制御部１５は、上記した第２表示処理を実行することにより、図５に示すように、入力許容期間中に記号が入力された記号入力枠Ｆａ内に「＋」の記号を表示させると共に、数値が入力された数値入力枠Ｆｎ６〜Ｆｎ８内に「１」、「０」および「０」の数値をそれぞれ表示させ、入力許容期間中に記号または数値が入力されなかった数値入力枠Ｆｎ１〜Ｆｎ５，Ｆｎ９〜Ｆｎ１１内、および接頭辞入力枠Ｆｂ内には記号または数値を表示させることなく非表示状態とする。
【００４０】
次に、例えば、既に入力の完了した係数Ｃ１を修正する際には、図６に示すように、選択画像Ｇ３における係数Ｃ１に対応するチェックボックス内にチェックマークを入力して係数Ｃ１を入力対象として再び選択すると共に、取消ボタンＢ２を操作する。この際に、制御部１５は、入力開始操作が行われたとして、記憶部１４を検索して、記憶部１４に係数Ｃ１が既に記憶されているか否かを判別する。この場合、記憶部１４に係数Ｃ１が既に記憶されているため、制御部１５は、第３表示処理を実行する。この第３表示処理では、制御部１５は、記憶部１４から入力情報Ｄを読み出して、係数Ｃ１を前回入力した際の各入力枠Ｆ内への記号または数値の入力の有無を特定する。この例では、制御部１５は、記号入力枠Ｆａ内に記号が入力されると共に数値入力枠Ｆｎ３〜Ｆｎ７内に数値が入力され、数値入力枠Ｆｎ１，Ｆｎ２，Ｆｎ８〜Ｆｎ１１内および接頭辞入力枠Ｆｂ内には記号または数値が入力されなかった旨を特定する。
【００４１】
続いて、制御部１５は、記憶部１４から演算用に変換した係数Ｃ１を読み出して、その係数Ｃ１に基づき、係数Ｃ１の記号（正負）、および数値が入力された数値入力枠Ｆｎ３〜Ｆｎ７に対応する各桁の数値（この例では、「１」、「２」、「３」、「４」および「５」の各数値）を特定する。次いで、制御部１５は、記号入力枠Ｆａ内に「＋」の記号を表示させると共に、数値入力枠Ｆｎ３〜Ｆｎ７内に「１」、「２」、「３」、「４」および「５」の各数値を表示させ、入力許容期間中に記号または数値が入力されなかった数値入力枠Ｆｎ１，Ｆｎ２，Ｆｎ８〜Ｆｎ１１内、および接頭辞入力枠Ｆｂ内には記号または数値を表示させることなく非表示状態とする。つまり、制御部１５は、第２表示処理における表示態様と同じ表示態様で係数Ｃ１を表示させる。
【００４２】
続いて、例えば、係数Ｃ１の値を「１２３４．５」から「１２３４．５６」に修正するときには、カーソルキー３３を操作して数値入力枠Ｆｎ８にカーソルを移動させ、次いで、「６」の数字・記号キー３５を操作する。これにより、数値入力枠Ｆｎ８内に「６」の数値が入力される。この際に、制御部１５は、第１表示処理を実行して、入力された「６」の数値を数値入力枠Ｆｎ８内に表示させる。
【００４３】
続いて、入力終了操作が行われたときには、制御部１５は、上記した第３表示処理において記号または数値を表示した入力枠Ｆにその記号または数値が入力されたものとして、変換処理および生成処理を実行する。具体的には、制御部１５は、第３表示処理の実行後に入力終了操作が行われたときには、第３表示処理において記号または数値を表示させた各入力枠Ｆ（この例では記号入力枠Ｆａおよび数値入力枠Ｆｎ３〜Ｆｎ７）については、入力許容期間に入力が行われなかった場合であっても、表示させた記号または数値（この例では「＋」の記号、並びに「１」、「２」、「３」、「４」および「５」の数値）が入力されたものとして変換処理および生成処理を実行する。また、制御部１５は、同様にして、第３表示処理の実行後に入力終了操作が行われたときには、第３表示処理において記号または数値を表示させた入力枠Ｆについては、入力許容期間に入力が行われなかった場合であっても、表示させた記号または数値が入力されたものとして第２表示処理を実行する。これにより、図６に示すように、記号入力枠Ｆａ内に「＋」の記号が表示されると共に、数値入力枠Ｆｎ３〜Ｆｎ８内に「１」、「２」、「３」、「４」、「５」および「６」の数値が表示される。
【００４４】
この場合、この測定装置１では、第３表示処理において、数値が既に入力されている係数Ｃ１を第２表示処理における表示態様と同じ表示態様で表示している。このため、この測定装置１では、入力した係数Ｃの桁数と第３表示処理において表示される係数Ｃの桁数とが一致する結果、入力した係数Ｃの桁数と表示される係数Ｃの桁数とが異なることがある従来の構成と比較して、例えば、数値を既に入力した係数Ｃにおける一部の桁の数値だけを修正する際に、修正対象の桁を容易に認識することが可能となる。このため、この測定装置１では、数値を既に入力している係数Ｃを修正する際の利便性を十分に向上することが可能となっている。
【００４５】
一方、図３に示す初期状態の入力画面Ｇ（小数形式で入力させるための入力画面Ｇ）が表示されている状態において、係数Ｃ１を指数形式で入力するときには、カーソルキー３３を操作して選択画像Ｇ３にカーソルを移動させて、実行キー３４を操作する。これに応じて、操作部１３が、指数形式が選択された（指数形式に切替えられた）旨の信号を制御部１５に出力する。この際に、制御部１５は、図７に示すように、係数Ｃを指数形式で入力させるための入力画面Ｇを表示させる。この場合、制御部１５は、６個の数値入力枠Ｆｎ（同図に示す数値入力枠Ｆｎ１〜Ｆｎ６）、記号入力枠Ｆａ、小数点画像Ｇ１、指数記号画像Ｇ２、指数記号入力枠Ｆｃ、指数入力枠Ｆｄ１，Ｆｄ２、決定ボタンＢ１、取消ボタンＢ２、切替ボタンＢ３および選択画像Ｇ３を入力画面Ｇ内に表示させる。また、制御部１５は、数値入力枠Ｆｎ１（係数Ｃの１桁目に対応する数値入力枠Ｆｎ）内に「０」の数値を表示させる。
【００４６】
次いで、係数Ｃ１として、例えば「＋１．２３４５×１０２」の数値を入力する際には、カーソルキー３３および実行キー３４を操作して、図７に示すように、選択画像Ｇ３における係数Ｃ１に対応するチェックボックス内にチェックマークを入力する。続いて、上記した入力操作により、記号入力枠Ｆａ内に「＋」の記号を入力すると共に、係数Ｃ１を構成する各桁に対応する各数値入力枠Ｆｎ１〜Ｆｎ５内に「１」、「２」、「３」、「４」および「５」の数値を個別に入力する。次いで、指数を入力する。具体的には、指数記号入力枠Ｆｃ内に「＋」の記号を入力し、指数入力枠Ｆｄ１，Ｆｄ２内に「０」および「２」の数値をそれぞれ個別に入力する。この際に、制御部１５は、上記した第１表示処理を実行して各入力枠Ｆに数値や記号が入力される都度、その数値や記号を各入力枠Ｆに表示させる。
【００４７】
続いて、各入力枠Ｆ内への記号または数値の入力操作が終了して入力終了操作を行ったときには、制御部１５が、上記した変換処理、生成処理を実行する。また、制御部１５は、上記した第２表示処理を実行することにより、図７に示すように、入力許容期間中に記号または数値が入力された入力枠Ｆ内にそれらの記号または数値をそれぞれ表示させると共に、入力許容期間中に数値が入力されなかった数値入力枠Ｆｎ６内には数値を表示させることなく非表示状態とする。このように、この測定装置１では、指数形式で係数Ｃを入力場合においても、入力許容期間中に記号または数値が入力された入力枠Ｆ内だけに入力された記号または数値を表示し、入力許容期間中に記号または数値が入力されなかった入力枠Ｆ内を非表示状態に維持する第２表示処理を実行する。このため、この測定装置１では、入力した数値の桁数と入力終了操作を行ったときに表示される数値の桁数とが一致する結果、指数形式で係数Ｃを入力場合においても、利便性を十分に向上することが可能となっている。
【００４８】
次いで、係数Ｃ２を指数形式で入力するときには、上記した各操作と同様の操作を行う。この際に、制御部１５が上記した変換処理、生成処理、第１表示処理および第２表示処理を実行する。また、数値を既に入力した係数Ｃ１や係数Ｃ２を修正する際には、上記した各操作を行って数値入力済みの係数Ｃを入力対象として再び選択した後に、対象の数値を修正する。この際には、制御部１５が上記した第３処理を実行すると共に、変換処理、生成処理、第１表示処理および第２表示処理を実行する。
【００４９】
なお、１０００を表す「ｋ（キロ）」の記号や、１００００００を表す「Ｍ（メガ）」の記号などのＳＩ接頭辞を用いて係数Ｃを入力することもできる。具体的には、上記した「＋１２３４．５」に代えて「＋１．２３４５×１０００」を意味する「＋１．２３４５ｋ」との入力形式（小数形式の他の一例）で係数Ｃ１を入力する際には、図８に示すように、入力操作において、記号入力枠Ｆａに「＋」の記号を入力すると共に、数値入力枠Ｆｎ６〜Ｆｎ１０内に「１」、「２」、「３」、「４」および「５」の数値を入力する。続いて、例えば、図外のキーボードを用いて接頭辞入力枠Ｆｂ内に「ｋ」の記号（ＳＩ接頭辞）を入力する。次いで、入力終了操作を行う。この測定装置１では、この入力形式での入力においても、入力した数値の桁数と第２表示処理や第３表示処理において表示される数値の桁数とが一致するため、利便性を十分に向上することが可能となっている。
【００５０】
このように、この測定装置１では、入力終了操作が行われたときに実行する第２表示処理において、入力許容期間中に数値が入力された数値入力枠Ｆｎ内にその数値を表示させ、かつ数値が入力された数値入力枠Ｆｎを除く他の数値入力枠Ｆｎ内を非表示状態とする表示態様で係数Ｃを表示させる。このため、この測定装置１によれば、入力した係数Ｃの桁数と入力終了操作を行ったときに表示される係数Ｃの桁数とが一致するため、入力した係数Ｃの桁数と入力終了操作を行ったときに表示される係数Ｃの桁数とが異なることがある従来の構成と比較して、係数Ｃを誤入力したとしても使用者がそのことを容易に認識することができなかったり、係数Ｃを正しく入力したにも拘わらず誤入力したと使用者に誤って認識させたりする不都合を十分に低減することができる結果、その分、係数Ｃを入力する際の利便性を十分に向上させることができる。
【００５１】
また、この測定装置１では、数値が既に入力されている係数Ｃについての入力開始操作が行われたときに、第２表示処理における表示態様と同じ表示態様で係数Ｃを表示させる第３表示処理を実行する。このため、この測定装置１によれば、入力した係数Ｃの桁数と第３表示処理において表示される係数Ｃの桁数とが一致する結果、入力した係数Ｃの桁数と表示される係数Ｃの桁数とが異なることがある従来の構成と比較して、例えば、数値を既に入力した係数Ｃにおける一部の桁の数値だけを修正する際に、修正対象の桁を容易に認識することができる。このため、この測定装置１によれば、数値を既に入力している係数Ｃを修正する際の利便性を十分に向上させることができる。
【００５２】
また、この測定装置１では、入力開始操作が行われたときに係数Ｃにおける１桁目に対応する数値入力枠Ｆｎ内に０の数値が入力されたものとして生成処理および第１表示処理を実行する。このため、１桁目を入力すべき数値入力枠Ｆｎの位置を容易に把握することができると共に、例えば、小数のみからなる係数Ｃを入力する際に、１桁目の数値の入力を省略することができるため、係数Ｃを入力する際の利便性を一層向上させることができる。
【００５３】
また、この測定装置１は、係数Ｃを指数形式および小数形式の両入力形式のいずれによっても入力可能に構成されると共に、両入力形式を切替え可能に構成されている。このため、例えば、書類に記載されている係数Ｃを読み取りながら測定装置１にその係数Ｃを入力する際に、書類に記載されている係数Ｃが小数形式および指数形式のいずれの形式であっても、その記載の通りの入力形式で係数Ｃを入力することができるため、誤入力の発生を確実に低減させることができる。
【００５４】
なお、上記の構成に限定されず適宜変更することができる。例えば、数値入力枠Ｆｎの数や形状は上記例に限定されず、任意に変更することができる。また、カーソルを移動させて記号または数値を入力する入力枠Ｆを指定する構成例について上記したが、ポインティングデバイスを操作してポインタを移動させて入力枠Ｆを指定する構成を採用することもできる。また、記号または数値を入力する度に、予め決められた順序で次の入力枠Ｆにカーソルを自動的に移動させる構成を採用することもできる。また、数字・記号キー３５や図外のキーボードを用いて各入力枠Ｆに記号または数値を入力する例について上記したが、例えば、各入力枠Ｆにカーソルやポインタを移動させたときに、入力可能な記号または数値をプルダウンメニューで表示させ、プルダウンメニューで表示された中から任意の記号または数値をポインティングデバイスによるクリック操作や実行キー３４による決定操作によって選択して入力可能な構成を採用することもできる。また、係数Ｃが正の数値のときに、記号入力枠Ｆａに「＋」の記号を入力する例について上記したが、記号入力枠Ｆａに記号の入力がなかったときには、「＋」の記号が入力されたものとして各処理を実行する構成を採用することもできる。
【００５５】
また、入力操作の途中において、入力形式を小数形式から指数形式に切り替えたり、指数形式から小数形式に切り替えたりしたときに、その切替操作時点で表示している係数Ｃの桁数を、切り替えられた表示形式に適合する桁数に自動的に変更するように構成することもできる。具体的には、係数Ｃが小数形式で「１２３４．５」と表示されている状態において指数形式に切り替えたときに「１．２３４５Ｅ０３」との表示に自動的に変更するように構成することができる。
【符号の説明】
【００５６】
１  測定装置
１２  表示部
１３  操作部
１５  制御部
３２  入力開始キー
３３  カーソルキー
３４  実行キー
３５  数字・記号キー
Ｂ１  決定ボタン
Ｂ３  切替ボタン
Ｃ，Ｃ１，Ｃ２  係数
Ｄ  入力情報
Ｆｎ  数値入力枠
Ｇ  入力画面
Ｐ  圧力値
【図１】
0005399286.tif 000002
【図２】
0005399286.tif 000003
【図３】
0005399286.tif 000004
【図４】
0005399286.tif 000005
【図５】
0005399286.tif 000006
【図６】
0005399286.tif 000007
【図７】
0005399286.tif 000008
【図８】
0005399286.tif 000009